(57)【特許請求の範囲】
【請求項１】
前面をほぼ全面的に開口した側断面が略コ状をなす横長箱状のケーシング本体であって当該ケーシング本体の前面上部に垂下した上部縁壁を備えると共に前面下部に立壁状の下部縁壁を備えたケーシング本体と、少なくとも前面壁が透光性の立壁で上面が開口され内部に携帯電話などの携帯デバイスを上方から収納できる容器状のホルダーであって、当該ホルダーの底面壁の手前側が、前記ケーシング本体の長さ方向と平行な支持軸によって当該ケーシング本体に回転出入れ可能に枢着支持されていると共に、前記底面壁の奥側にはラッチ受けが形成され、かつ、背面壁の上部に、前記ケーシング本体の上部縁壁に係止される係止爪部を設けたホルダーと、前記ケーシング本体の下部縁壁の内部側に設けたラッチを有する錠によるロック手段であって前記錠の動作によって前記ラッチをラッチ受けに出入れさせるロック手段を具備して成ることを特徴とする携帯デバイス用保管ケース。
【請求項２】
ケーシング本体を金属製とし、ホルダーは少なくとも前面が内部を透視できる透明プラスチック製とした請求項１の保管ケース。
【請求項３】
ケーシング本体には、前記ホルダーが複数台並べて収装され、複数台のホルダーは、ケーシング本体の底面壁部において貫通する１本の支持軸によって夫々のホルダーの開口部がケーシング本体から回転出入れ可能に枢着された請求項１又は請求項２の保管ケース。
【請求項４】
ロック手段による施錠又は解錠に連動してその表示をするようにした請求項１〜３のいずれかの保管ケース。
【請求項５】
ホルダーは、携帯デバイスの厚み方向を正面にして収納する形態に形成した請求項１〜４のいずれかの保管ケース。
【請求項６】
ホルダーを具備したケーシング本体は、当該本体の複数個をそれらの前面開口を揃え、積層して接合するか、又は、左右方向に直列して接合するようにした請求項１〜５のいずれかの保管ケース。
【発明の詳細な説明】
【技術分野】
【０００１】
本発明は、情報をストレージ可能な携帯デバイス用保管ケースに係わり、さらに詳しくは、携帯電話のような移動体通信サービスの端末、携帯型デジタル音楽プレイヤー、携帯情報端末（ＰＤＡ）などの情報をストレージすることができる携帯デバイスの複数台を同時に保管することができる保管ケースに関する。
【背景技術】
【０００２】
この種の携帯デバイスは、ほとんどの人が所有するところとなり、その機能は多機能、高機能になっている。このため様々な職場などにおいて、例えば携帯電話の情報ストレージ機能に加えカメラ機能やインターネット機能を利用した社内情報の持ち出しや漏洩が心配されている。実際に、このような携帯デバイスに社内情報を格納し、自宅のパーソナルコンピュータに転送したところ、パーソナールコンピュータにインストールしてあるファイル交換やファイル共有ソフトウェアなどによって前記社内情報が外部に漏洩し、インターネットの世界を浮遊していることが報告されている。
【０００３】
本発明の発明者は、上記のような事情に鑑み、先に特許文献１に開示したような対策品を提案した。すなわち、情報をストレージ可能な携帯デバイス、例えば、私用の携帯電話について、社員が出社したとき、或は、外来の訪問者が入場（入室）したときなどに一時的に預かって保管し、退出するときに返還することによって、社内情報の外部漏洩を防ぐことができる保管ケースがその対策品である。
【０００４】
上記の対策品として先に発明者が提案した保管ケースは、情報をストレージ可能な携帯デバイスの一例として、１台の携帯電話を収納できるホルダーと、携帯電話の下に位置して前記ホルダーの底部側に配置されたかさ上げ台と、複数のホルダーを平行に並べた状態で個々のホルダーごとに手前側に傾斜姿勢に引出し可能に保持したケーシング本体と、前記ホルダーをケーシング本体内に収納したとき当該ホルダーをケーシング本体に引出し不能に係留するロック手段とから構成されたものであった。
【０００５】
上記保管ケースには、ホルダーが携帯電話を正面向きで収納できる形態のほか、厚み方向を正面にして収納できる形態に形成されたものがある。
【０００６】
また、上記保管ケースは、ホルダー内の携帯電話の有無を表す表示手段を備えたり、ロック手段の施錠および解錠に連動して色彩の異なる標識が出没する表示手段を具備したものもある。
【０００７】
上記構成を備えた保管ケースは、情報をストレージ可能な携帯電話を社員が出社したとき、或は、社員が退社するときなどにその電話を預かって保管し、退社するとき或は出社したときに返還することにより、携帯電話を介した社内情報の外部漏洩を防ぐことができる。
【０００８】
すなわち、所有者が自分の携帯電話を自分のロッカーなどに保管するのでなく、統一された場所に携帯電話を預けるので、携帯電話を通じての情報の外部持ち出しを防ぐことができ、また、夫々に携帯電話を収納した複数のホルダーがケーシング本体に平行に並べられているため、多数の携帯電話をスペース効率よく保管することができ、さらには、ロック手段によって第三者が他人の携帯電話を勝手に持ち出せないから、各人の携帯電話の紛失、損傷、盗難などを防ぐことができる、という諸効果が得られるものであった。
【０００９】
しかし乍ら、上述した保管ケースは、上記の諸効果が得られるものではあったが、実際に設置，使用をしてみると、なお改良や改善すべき点もあることが判明した。
例えば、先に提案した保管ケースは、ホルダーもケーシング本体も、金属製、例えばスチール製であったため、収容能力が大きいものではどうしても重量が嵩みがちになること、また、スチール製であるため外部から携帯電話がホルダー内にはいっているのか否かは、保管ケースから離れていると判別し難いこと、さらには、施錠機構が複雑なため部品点数が多くなって、故障の懸念がなきにしもあらずであったことなどが、判明した改善すべき点である。
【特許文献１】特願２００６−２４０７５９号
【発明の開示】
【発明が解決しようとする課題】
【００１０】
そこで本発明は、本願の発明者らが先に提案した、携帯電話を始めとする携帯デバイスの保管ケースの問題点を解消した保管ケースを提供することを、その課題とするものである。
【課題を解決するための手段】
【００１１】
上記課題を解決することを目的としてなされた本発明により改良された保管ケースの構成は、前面をほぼ全面的に開口した側断面が略コ状をなす横長箱状のケーシング本体であって当該ケーシング本体の前面上部に垂下した上部縁壁を備えると共に前面下部に立壁状の下部縁壁を備えたケーシング本体と、少なくとも前面壁が透光性の立壁で上面が開口され内部に携帯電話などの携帯デバイスを上方から収納できる容器状のホルダーであって、当該ホルダーの底面壁の手前側が、前記ケーシング本体の長さ方向と平行な支持軸によって当該ケーシング本体に回転出入れ可能に枢着支持されていると共に、前記底面壁の奥側にはラッチ受けが形成され、かつ、背面壁の上部に、前記ケーシング本体の上部縁壁に係止される係止爪部を設けたホルダーと、前記ケーシング本体の下部縁壁の内部側に設けたラッチを有する錠によるロック手段であって前記錠の動作によって前記ラッチをラッチ受けに出入れさせるロック手段を具備して成ることを特徴とするものである。
【００１２】
本発明保管ケースでは、ケーシング本体を金属性とし、ホルダーは少なくとも前面は内部を透視できる透明プラスチック製とする。好ましくはホルダーを強度があり透光性プラスチック材、例えばポリカーボネイトで形成する。ケーシング本体には、前記ホルダーが複数台並べて収装され、複数台のホルダーは、各ホルダーを貫通する１本の支持軸によって、夫々のホルダーが夫々にケーシング本体から回転出入れ可能に枢着されている。
【発明の効果】
【００１３】
本発明は、前面をほぼ全面的に開口した側断面が略コ状をなす横長箱状のケーシング本体であって当該ケーシング本体の前面上部に垂下した上部縁壁を備えると共に前面下部に立壁状の下部縁壁を備えたケーシング本体と、少なくとも前面壁が透光性の立壁で上面が開口され内部に携帯電話などの携帯デバイスを上方から収納できる容器状のホルダーであって、当該ホルダーの底面壁の手前側が、前記ケーシング本体の長さ方向と平行な支持軸によって当該ケーシング本体に回転出入れ可能に枢着支持されていると共に、前記底面壁の奥側にはラッチ受けが形成され、かつ、背面壁の上部に、前記ケーシング本体の上部縁壁に係止される係止爪部を設けたホルダーと、前記ケーシング本体の下部縁壁の内部側に設けたラッチを有する錠によるロック手段であって前記錠の動作によって前記ラッチをラッチ受けに出入れさせるロック手段を具備して、携帯電話を始めとする携帯デバイス用の保管ケースを構成したから、先に提案した保管ケースにおける重量が嵩む点、収納物が視認し難い点、構造が複雑である点などを解消することができる。
【発明を実施するための最良の形態】
【００１４】
図１は本発明保管ケースの一例の正面図、図２は図１の保管ケースにスタンドを付設した例の正面図、図３は図２の保管ケースの側面図、図４は図１の保管ケースの側断面拡大図、図５は図４のホルダーを手前側に回転させた状態の側断面図、図６は図４の保管ケースの要部の正断面図、図７は本発明保管ケースを縦方向で接続した例の要部の断面図である。
【００１５】
以下に実施例として説明する保管ケースは、種々の携帯デバイスの中で移動体通信システムの端末、すなわち、携帯電話器（携帯電話ともいう）やＰＨＳ電話器（ＰＨＳともいう）の複数台を一箇所で保管するためのものである。
【００１６】
本発明保管ケースは、図１〜図６に示すように、携帯電話Ｍを収納するように形成したホルダー１と、当該ホルダー１の複数個を水平方向で平行に並べ、かつ手前に回転させつつ上半側を引き出し可能に保持するケーシング本体２と、各ホルダー１を並べて本体２内に収納したときに各ホルダー１をケーシング本体２に係止するロック手段３とを備えている。
【００１７】
ケーシング本体２は、水平方向で平行配置された上部パネル２１と下部パネル２２の左右両端に一対の側部パネル２３，２４配置することにより四角形の枠状に形成すると共に、その背面に背部パネル２５を配置して、前記各パネルを溶接やねじ締結などにより固着し、前面が全面的に開放された横長の箱形に形成されている。各部のパネル２１〜２５は、一例として鋼板をプレス機によって折り曲げ加工した部材を、スポット溶接などによって図４，図５に示す断面形状に形成されている。
【００１８】
各パネル２１〜２５の上記構成によって、ケーシング本体における前面の上縁辺には上部パネル２１を折曲げた上部縁壁２１ａが形成される。なお、２１ｂは上部パネル２１の補強部である。
また、下部パネル２２は、底パネル２２ａを取付けて内部が中空の断面横長ロ状をなすように形成され、その背面が背部パネル２５に固着されていると共に、前面がロック手段３の一例としてシリンダー錠３１の取付部となる下部縁壁２２ｂに形成されている。
上記の上，下部パネル２１，２２と、側部パネル２３，２４と、背部パネル２５の夫々が備えた各構成によって、本発明保管ケースにおけるケーシング本体２の一例が、図４，図５に示す側断面大略コ字状をなす形態に形成されるのである。
【００１９】
上記ケーシング本体２の内部には複数個のホルダー１が配置されている。このホルダー１は、プラスチック成型品、一例としてポリカーボネイトにより成形されたもので、上面が開放されている。なお、図示したホルダー１は、収容物品の出入れを容易にするため、全体として若干テーパが付された（上面開放側が拡がり、下部側が狭まっている）縦長の箱形状を呈するように形成している。前記テーパは、ホルダー１の金型製作や成形作業の上でも都合がよい。このホルダー１は、左右の側面板１３，１４と、これらよりも狭幅の正面板１１と背面板１２を備え、かつ、底面板１５を具備した一体成形品である。なお、本発明において、前記ホルダー１はテーパを付けないものであってもよいことは勿論である。
【００２０】
本発明では、ホルダー１の少なくとも正面板１１が透光性であれば、他の部は不透明であってもよい。ホルダー１の内部が正面から透視できればよいからである。この意味で、正面板１１を透明プラスチック、他の部位を不透明のプラスチックや金属材で形成してもよい。なお、ホルダー１の両側面板１３，１４の上部にはＵ字状の切欠１３ａ，１４ａが形成され、前面板１１の上部には小さ目のＵ字溝１１ａが形成されている。なお、この溝１１ａは後面板１２に設けてもよい。上記切欠１３ａ，１４ａは、当該ホルダー１の内部に収納した携帯電話Ｍを両サイドから掴むための切欠きであり、Ｕ字溝１１ａは、ストラップ（図示せず）の引掛け部として設けたものである。
【００２１】
上記構成を備えた各ホルダー１は、底面板１５の手前側下面に凸出させて形成した軸受１５ａに、各ホルダー１の軸受１５ａを貫通する支持軸としてのシャフト１６に回転可能に保持されている。シャフト１６は、少なくともその中間と両端部が、ケーシング本体２の下部パネル２２の上面に立設した軸受ブラケット１７に保持されている。これにより各ホルダー１は、シャフト１６を中心に旋回して、上面開口がケーシング本体２の上部パネル２１より外側に露出可能にケーシング本体２に装着されている。なお、シャフト１６は、１本の貫通タイプのほか、途中で接合したり、各ホルダー１ごとに独立したものであってもよい。
【００２２】
各ホルダー１の旋回角度は、ホルダー１の背面板１２の上端部に後方へ向けて突出形成したＬ状のストッパ１８がケーシング本体２の上部縁壁２１ａに係止されることによって制限される。
【００２３】
本発明保管ケースにおけるロック手段３は、下部パネル２２の下部縁壁２２ｂの前面から内部に向けて配置されたシリンダー錠３１と後述するラッチ３３を含む。すなわち、シリンダー錠３１は、キー挿入口３２を正面に露出させ、下部パネル２２の断面の内側に組み込まれている。そして、このシリンダー錠３１は、図６の例では、キー（図示せず）を挿入口３２に入れて時計回り方向に角度９０°回転すると、後述するラッチ受け１９に入っているラッチ３３がラッチ受け１９から抜け出し、図６の施錠状態を解く。従って、解錠操作したキーを角度９０°反対方向に回転すると、シリンダー錠３１の回転する内筒３１ａの後端に回転体３４を介して取付けられたラッチ３３が図６の状態に立上ってラッチ受け１９に入り鎖錠状態になる。
【００２４】
本発明のロック手段３に使用するシリンダー錠３１の施解錠作動角は、上記例に限られるものではなく、何度の作動角のものを用いるかは任意である。また、ロック手段３の錠には、前記シリンダー錠３１以外の錠、例えば、タンブラー錠やいわゆるハチマンロックなどを用いてもよい。さらに、本発明保管ケースのロック手段３に、上記シリンダー錠３１などの錠の施解錠動作を、カードキーやテンキーなどにより行わせるようにしたロック手段を用いることも可能である。
【００２５】
なお、シリンダー錠３１の内筒後端３１ａには、ラッチ３３を一体に具備する回転金具３４が結合されている。一方、ホルダー１の底面板１５の下面奥側には前記ラッチ３３が出没させられるラッチ受け１９が形成されている。
【００２６】
本発明保管ケースでは、ラッチ３３がラッチ受け１９に入っている（施錠中）か、出ている（解錠中）かを、上記回転金具３４に結合した表示舌片４（図４に仮想線４で示す）をケーシング本体２の下部縁壁２２ｂに出没させることにより、遠方からでもホルダー２の施，解錠状態を視認できる構成を採ることができる。なお、この表示舌片４は、施錠時には図４のように、下部縁壁２２ｂの上方に起立し、解錠時には、下部パネルの内部に没入するように設けなければならない。図４では、表示の便宜上、当該舌片４が下部縁壁２２ｂの前面より手前に位置して示しているが、実製品ではこの縁壁２２ｂの前面は、図４に示した例よりも左側に出ていなければならない。
【００２７】
上記のような施解錠表示は、図示しないが、乾電池等の電源と、この電源で点灯されるＬＥＤなどの表示灯と、電源と表示灯を接続する電源回路中に挿入したスイッチであって、前記ラッチ３３，回転金具３４，シリンダー錠３１の回転する内筒のいずれかの動作によって開閉されるスイッチによっても形成することができる。この場合、各ホルダー１の表示灯は、各ホルダー１に夫々に対応した下部縁壁２２ｂの前面か、又は、上部縁壁２１ａの前面など、眼に付き易い箇所に配置すればよい。
【００２８】
上述した構成を備えた本発明保管ケースは、図１の壁取付けタイプ、或は、図２，図３に例示するようなスタンドタイプがある。壁取付けタイプは、背部パネル２５に設けたビス穴や掛止め用穴（図示せず）、或は、当該パネル２５の背面に設けた引掛け爪などによって、壁面に係止したり固定して設置する。
【００２９】
一方、図２，図３のスタンドタイプは、ケーシング本体２の底をスタンド５の上に載架して固定し、会社等の受付け窓口などに設置する。ここでのスタンド５は、平板状のベース５ａとこのベース５ａの上に立設された脚体５ｂにより形成されているが、本発明におけるスタンド５は図示した例に限られるものではなく、ホルダー１を備えたケーシング本体２が、図２，図３に例示した姿勢で配置できるものであれば、その構造や形態は任意である。
【００３０】
本発明保管ケースは、図１に例示したケースの複数個を、上下方向に積層した形に接合したり、図示しないが図１の左右方向に並べて隣接したケース同士を接合した形態で設置することができる。
【００３１】
図７は積層連接タイプの一例を説明するための断面図で、下位の保管ケースの上部パネル２１と上位の保管ケースの下部パネル２２を、ここでは、ビス６ａ，ナット６ｂの連結具６により結合することによって、上，下の保管ケースを接合一体化する。
保管ケースを横方向で連続して設置する例は、図示しないが、隣接した保管ケースの対面した側パネル２３，２４同士を、上記例と同様の連結具６により結合すればよい。
【００３２】
上述した本発明保管ケースは、例えば、職場の出入り口付近に設置され、所有者が携帯電話を簡便に預けることができるように設置される。
【００３３】
すなわち、例えば入室者は、職場に入るときに、キーＫによってシリンダー錠３１を解錠してホルダー１を引き出して、その上部開口から携帯電話Ｍを入れ、ホルダー１の姿勢を元に戻して、シリンダー錠３１を施錠する。施錠すると、表示手段４が下部縁壁２２ｂの前に突出して来る。なお、キーＫは、不使用時にはシリンダー錠３１に付けておくか、管理人などが保持しておくかは、本発明保管ケースの運用の問題であるから、どちらの態様とするかは任意である。
【００３４】
退出するときには、所有するキーＫによってシリンダー錠３１を解錠し、ホルダー１をシャフト１６を中心に回転させつつ引出し、携帯電話Ｍを取り出してホルダー１を元に戻し、シリンダー錠３１を施錠する。施錠すると、表示手段４が下部縁壁２２ｂの中に隠れてしまい、かつ、キーＫも付いているのでそのホルダー１が空であることが判る。
【００３５】
上記のようにして、本発明保管ケースの各ホルダー１にすべての人の携帯電話Ｍが収納されて施錠されると、全ての表示手段４が下部縁壁２２ｂの前に出揃うので、携帯電話Ｍが収容されないホルダー１があると、携帯電話Ｍを預けていない者が居ることを確認できる。また、携帯電話Ｍを預ける人々は、携帯電話Ｍがホルダー１とケーシング本体２によって密閉保管され、自分で持つか、又は、管理人が保管しているキーＫによってそのホルダー１がロックされているので、第三者が勝手に取り出せず、しかも、損傷からも保護されるため、安心して預けることができる。
【００３６】
なお、以上の実施例において、ホルダー１内の携帯電話Ｍの存否、即ち、ホルダー１の施，解錠を表す表示手段は、ロック手段３に連動したものとして説明したが、本発明ではホルダー１の前面板が透光性であるから、その面からホルダー１の内部に携帯電話Ｍがあるか否かは視認することができる。
【産業上の利用可能性】
【００３７】
本発明は以上の通りであって、会社などにおいて情報の外部漏洩をなくすための一環としてに、携帯電話等の携帯デバイスを収納するホルダーと、複数のホルダーを平行に並べ、かつ、個々のホルダーを手前側に回転引出し可能に保持する本体と、ホルダーをケーシング本体内に収納したときにケーシング本体にホルダーを係止するロック手段とを備えて保管ケースを形成したので、職場等から携帯デバイスを利用した情報の流出，漏洩を未然に、かつ、効果的に防ぐことができる。
【図面の簡単な説明】
【００３８】
【図１】本発明保管ケースの一例の正面図。
【図２】図１の保管ケースにスタンドを付設した例の正面図。
【図３】図２の保管ケースの側面図。
【図４】図１の保管ケースの側断面拡大図。
【図５】図４のホルダーを手前側に回転させた状態の側断面図。
【図６】図４の保管ケースの要部の正断面図。
【図７】本発明保管ケースを縦方向で接続した例の要部の断面図。
【符号の説明】
【００３９】
１            ホルダー
１１          正面板
１２          背面板
１３，１４    側板
１５          軸受け
１６          シャフト
１７          軸受けブラケット
１８          ストッパ
１９          ラッチ受け
２            ケーシング本体
２１          上部パネル
２２          下部パネル
２３，２４    側部パネル
２５          背部パネル
３            ロック部材
３１          シリンダー錠
３２          キー挿入口
３３          ラッチ
３４          回転金具
Ｋ            キー
Ｍ            携帯電話
【図１】
0004681627.tif 000002
【図２】
0004681627.tif 000003
【図３】
0004681627.tif 000004
【図４】
0004681627.tif 000005
【図５】
0004681627.tif 000006
【図６】
0004681627.tif 000007
【図７】
0004681627.tif 000008